(57)【特許請求の範囲】
【請求項１】
空調室の天井に埋設される箱型の筐体と、同筐体の下面に取り付けて前記天井を覆う化粧パネルとからなり、前記筐体は内部中央に送風ファンと同送風ファンを囲む熱交換器とを備え、前記送風ファンの下部と前記化粧パネルの間には内部入口が吸込口となり同吸込口から空気を取り込み前記送風ファンまで導くラッパ状のベルマウスを設け、前記ベルマウスの前記化粧パネル側には電装品箱が配置され、前記ベルマウスの周囲と前記筐体の下面を覆うドレンパンを設け、同ドレンパンは前記熱交換器で生じるドレン水を受け、前記熱交換器で熱交換された空気を吹き出す吹出口を備えた天井埋込型空気調和機において、
前記ドレンパンには、前記筐体内部側に前記電装品箱内の制御基板とケーブルで接続される電装部品が配置され、
前記ベルマウスの下縁には下方に向かって垂直に立設されたケーブル収納壁と、同ケーブル収納壁の端の全周または一部に前記ドレンパン側に延出するフランジとを備え、前記ドレンパンと前記ケーブル収納壁の間に前記ケーブルが収納可能なケーブル通路を形成し、
前記ドレンパンは前記フランジの対面にテーパ面を設け、前記フランジの端部と前記テーパ面の間の隙間でなるケーブル挿入口が、前記ケーブルの直径よりも狭く、また前記ケーブルが変形した状態で通過でき、且つ変形が復元した状態では前記ケーブルが抜け落ちないことを特徴とする天井埋込型空気調和機。
【請求項２】
前記ドレンパンは、前記ドレンパンの底面の角隅からケーブル通路までの間にケーブル溝を設け、同ケーブル溝の出口を前記テーパ面に設けることを特徴とする請求項１に記載の天井埋込型空気調和機。
【発明の詳細な説明】
【技術分野】
【０００１】
本発明は、天井内に筐体が埋設された天井埋込型空気調和機に関し、さらに詳しく言えばベルマウスとドレンパンの構造に関するものである。
【背景技術】
【０００２】
天井埋込型空気調和機は、空調室の天井に埋設される箱型の筐体と、同筐体の下面に取り付けて天井を覆う化粧パネルとからなる。筐体は内部中央に送風ファンと同送風ファンを囲む熱交換器とを備え、送風ファンの下部には吸込口から空気を取り込み送風ファンまで導くベルマウスが設けられる。ベルマウスの吸込口の端には天井埋込型空気調和機を制御する電装部品および制御基板が収納された電装品箱が配置される。またベルマウスの外側と筐体の下面を覆うドレンパンが配置されている。ドレンパンは熱交換器で生じるドレン水を受けるとともに、熱交換器で冷媒と熱交換された空気を吹き出す吹出口を備える。
【０００３】
送風ファンにより化粧パネルに設けた吸込グリルから吸い込まれた空気は吸込口からベルマウスを通り熱交換器で冷媒と熱交換して、吹出口から風向板で風向を調節して室内に送出される。
【０００４】
ドレンパンには、筐体内部側にドレンパンに溜まったドレン水の水位を検知するフロートスイッチと、フロートスイッチの信号によりドレン水を屋外へ排出するドレンポンプが配置され、フロートスイッチとドレンポンプはいずれも電装品箱内の制御基板とケーブルで接続される。（特許文献１参照）
【先行技術文献】
【特許文献】
【０００５】
【特許文献１】特許第５２９３６２３号公報
【発明の概要】
【発明が解決しようとする課題】
【０００６】
ケーブルを制御基板に接続する作業は、まずケーブルをドレンパンの筐体内部側から筐体とドレンパンの隙間を通し電装品箱側へ引き出す。電装品箱側は化粧パネルを開放した際に使用者の視界に入るので、ケーブルが弛んで使用者の視界に入らないようにケーブルをドレンパンとベルマウスの間の通路に差し込んで吸込口の周囲を這わせたのち電装品箱内の制御基板に接続する。この時ベルマウスは弾性変形することで、片手でベルマウスを開き、もう一方の手でケーブルを通路に入れ込む作業となる。
しかし、片手でベルマウスを開き、もう一方の手でケーブルを通路に入れ込むのは非常に困難な作業となる。
【０００７】
本発明は以上述べた問題点を解決し、ドレンパンとベルマウスの間の通路にケーブルを入れ込む作業を容易にした天井埋込型空気調和機を提供することを目的とする。
【課題を解決するための手段】
【０００８】
上述した課題を解決するために本発明は、空調室の天井に埋設される箱型の筐体と、同筐体の下面に取り付けて前記天井を覆う化粧パネルとからなり、前記筐体は内部中央に送風ファンと同送風ファンを囲む熱交換器とを備え、前記送風ファンの下部と前記化粧パネルの間には内部入口が吸込口となり同吸込口から空気を取り込み前記送風ファンまで導くラッパ状のベルマウスを設け、前記ベルマウスの前記化粧パネル側には電装品箱が配置され、前記ベルマウスの周囲と前記筐体の下面を覆うドレンパンを設け、同ドレンパンは前記熱交換器で生じるドレン水を受け、前記熱交換器で熱交換された空気を吹き出す吹出口を備えた天井埋込型空気調和機において、
前記ドレンパンには、前記筐体内部側に前記電装品箱内の制御基板とケーブルで接続される電装部品が配置され、前記ベルマウスの下縁には下方に向かって垂直に立設されたケーブル収納壁と、同ケーブル収納壁の端の全周または一部に前記ドレンパン側に延出するフランジとを備え、前記ドレンパンと前記ケーブル収納壁の間に前記ケーブルが収納可能なケーブル通路を形成し、前記ドレンパンは前記フランジの対面にテーパ面を設け、前記フランジの端部と前記テーパ面の間の隙間でなるケーブル挿入口が、前記ケーブルの直径よりも狭く、また前記ケーブルが変形した状態で通過でき、且つ変形が復元した状態では前記ケーブルが抜け落ちないことを特徴とする。
【０００９】
また前記ドレンパンは、前記ドレンパンの底面の角隅からケーブル通路までの間にケーブル溝を設け、同ケーブル溝の出口を前記テーパ面に設けることも含まれる。
【発明の効果】
【００１０】
上記のように構成した本発明の天井埋込空気調和機は、ドレンパンの筐体内部側に配置された電装部品から電装品箱側に引き出されたケーブルをケーブル通路に収納させ電装品箱に接続させることでケーブルが弛まずに使用者の目に触れないように設置することができる。
【００１１】
またケーブルはフランジの端部とテーパ面の間の隙間でなるケーブル挿入口が、ケーブルの直径よりも狭く、またケーブルが変形した状態で通過でき、且つ変形が復元した状態ではケーブルが抜け落ちない隙間であるから、ケーブルを入れ込むとき片手でベルマウスを開く必要がないため作業が容易となる。
【図面の簡単な説明】
【００１２】
【図１】天井埋込型空気調和機の外観図である。
【図２】図１のＡ−Ａ断面図である。
【図３】筐体を空調室内から見た構成図である。
【図４】ドレンパンとベルマウスの構成を示す斜視図である。
【図５】ケーブル取付説明図であり、（ａ）はケーブル取付前の説明図で、（ｂ）はケーブル取付後の説明図である。
【図６】他の実施例のケーブル取付説明図である。
【発明を実施するための形態】
【００１３】
以下、本発明を実施するための形態を、添付図面に基づいた実施例として詳細に説明するが、本発明はこれに限定されるものではない。
【００１４】
図１と図２に示す本発明による天井埋込形空気調和機１（以下空気調和機１とする）は、空調室内Ｋの天井Ｔに埋設される箱型の筐体１０と、同筐体の下面１０１に取り付ける四角形の化粧パネル３とからなる。筐体１０は筐体１０の側板１１に複数備えられた取付金具１２で図示しない天井裏壁面に埋め込まれた複数の吊りボルトに吊下げて設置される。また化粧パネル３は、取付金具１２に空調室内Ｋ側からネジで固定することで筐体１０に取り付けられ、筐体１０の下面１０１と底面１０１周囲の空調室内Ｋ側の天井面Ｔ１を覆う。
【００１５】
化粧パネル３には中央に筐体１０に空気を取り入れるためドット状の複数の吸込孔４０１が全体で四角形状となるように配置された吸込グリル４０が着脱可能に取り付けられている。また後述する本体吹出口１５に合わせた吹出口３１を設け、同吹出口３１には回動可能な風向板５を備える。
【００１６】
筐体１０の外郭は、板金で形成された天板１３と、天板１３の外周から下方に延在する側板１１とで形成される。天板１３と側板１１の内周面には図２に示すように断熱部材１４が設けられる。また、天板１３の中央内側にはネジによりファンモータ２１が固定され、ファンモータ２１から下方に伸びるシャフト２２に送風ファン２３のハブ２３ａが軸支される。送風ファン２３はハブ２３ａとシュラウド２３ｂと複数のブレード２３ｃとからなる所謂ターボファンである。送風ファン２３はファンモータ２１とともに筐体１０の内部のほぼ中央に配置される。
【００１７】
図２ないし図５に示すように送風ファン２３の下部と化粧パネル３との間には内部入口が吸込口１６となるラッパ状のベルマウス２４を設ける。ベルマウス２４は、樹脂製で送風ファン２３から徐々にラッパ状に広がる吸込案内部２４１と、吸込案内部２４１の下端に位置し、吸込グリル４の四角形状に配置された吸込孔４０１に合わせ吸込孔４０１を覆う吸込口枠２４２とからなる。また吸込口枠２４２の下縁には下方に向かって垂直に立設されたケーブル収納壁２４３を備える。
【００１８】
ファンモータ２１により回転駆動される送風ファン２３により、空調室内Ｋの空気が吸込グリル４の吸込孔４０１から吸込口１６に吸い込まれる。筐体１０に吸い込まれた空気は、ベルマウス２４の吸込案内部２４１に沿って送風ファン２３に案内され、送風ファン２３の外方に向かって吹き出される。
【００１９】
筐体１０にはベルマウス２４の周囲と筐体１０の下面１０１を覆う発泡断熱材でなるドレンパン６０を設ける。ドレンパン６０は後述する熱交換器２５で生じるドレン水を受けるとともに、熱交換器２５で冷媒と熱交換された空気を吹き出す本体吹出口１５を備える。
【００２０】
送風ファン２３の周囲には、断熱部材１４とドレンパン６０とで上下を挟まれた熱交換器２５が配設される。熱交換器２５は所定の間隔で積層された複数の矩形のアルミフィン２５１と、このアルミフィン２５１に直交するように配設された複数の伝熱管２５２とからなるフィンチューブ型の熱交換器２５である。熱交換器２５は送風ファン２３を筐体１０の四辺に沿って囲むように設けられる。また熱交換器２５の一角部では熱交換器２５の端部と端部の間で伝熱管２５２を外へ引き出すために隙間が設けられている。この角部が配管接続部２６となり引き出された伝熱管２５２は図示しない屋外の室外機と連結される。
【００２１】
図３に示すようにベルマウス２４の化粧パネル側で配管接続部２６に位置する吸込口枠２４２にはＬ字状に形成された電装品箱１８が配置される。電装品箱１８はＬ字状の箱体１８１と箱体１８１を覆う蓋１８２からなり、箱体１８１内にはＬ字状の一方にコンデンサやコイルを有する電源部品１８３を収納し、もう一方にコネクタ１８４ａや制御に関係する部品が配置された制御基板１８４を収納する。Ｌ字状の両端で箱体１８１と蓋１８２の間には後述するケーブル６７を引き込むケーブル引込口１８５が設けられる。
電装品箱１８を配管接続部２６側に配置するのは、配管接続部２６に熱交換器２５のない隙間がありこの隙間では熱交換されないためベルマウス２４から熱交換器２５に流れる空気が少なくても影響が少ない場所のためである。
【００２２】
熱交換器２５は、図示しない冷房運転と暖房運転とが可能な可逆式の冷凍サイクル回路に接続されており、送風ファン２３から導かれた空気を冷房運転時には蒸発器として機能して冷却し、暖房運転時には凝縮器として機能して加熱する。
【００２３】
熱交換器２５と側板１１周囲の断熱部材１４との間と、ドレンパン６０に設けられた筐体１０の四辺それぞれに沿った４つの本体吹出口１５は、送風ファン２３から吹き出された空気を化粧パネル３の吹出口３１へ案内する送風路１７となる。熱交換器２５で熱交換された空気は送風路１７と本体吹出口１５を通り化粧パネル３の吹出口３１から空調室内Ｋに吹き出される。
【００２４】
熱交換器２５の下部を受けるドレンパン６０は、熱交換器２５と対向する面に樹脂製のドレンパンプレート６２を備え熱交換器２５で生成されるドレン水を受け止める。ドレン水は図３に示す筐体１０内部側で配管接続部２６に隣り合った一方の角部２７にある電装部品のドレンポンプ６５と、ドレンポンプ６５に繋がったドレンパイプ（図示なし）により屋外へ排出される。ドレンポンプ６５はケーブル６７で電装品箱１８の制御基板１８４に接続される。
【００２５】
配管接続部２６に向かい合った角部２８のドレンパン６０にはドレンパンプレート６２に溜まったドレン水の水位を図る電装部品のフロートスイッチ６６が配置されている。フロートスイッチ６６はケーブル６７で電装品箱１８の制御基板１８４に接続される。
【００２６】
尚、ケーブル６７は押圧により弾性変形するものであり、図５（ａ）に示すようにケーブル６７の直径ａ１は例えば約６．５ｍｍである。
【００２７】
図５（ａ）に示すようにドレンパン６０は、ベルマウス２４のケーブル収納壁２４３の対面にケーブル収納壁２４３と平行となる壁面６０１を設ける。この壁面６０１とケーブル収納壁２４３との間がケーブル６７を収納可能とし、またケーブル６７を変形した状態で保持して自重で落ちない隙間ａ２を有するケーブル通路６８となる。
【００２８】
ベルマウス２４のケーブル収納壁２４３は、ケーブル収納壁２４３下端の全周または一部にドレンパン６０側に延出するフランジ２４４を備える。またドレンパン６０はフランジ２４４の対面に位置する部分にテーパ面６０２を設ける。そしてフランジ２４４の端部２４４ａとテーパ面６０２の間の隙間ａ３がケーブル挿入口６９となる。ここで隙間ａ３の長さはフランジ２４４の端部２４４ａからテーパ面６０２に引いた垂線の長さである。
ケーブル挿入口６９はケーブル６７の直径ａ１よりも狭く、また変形した状態のケーブル６７が通過でき、この変形が復元した状態ではケーブル６７が抜け落ちない隙間にする。
【００２９】
尚、ケーブル６７の直径ａ１と、ケーブル通路６８の隙間ａ２と、ケーブル挿入口６９の隙間ａ３は、ａ１＞ａ２≧ａ３となるのが望ましい。例えばケーブル６７の直径ａ１を約６．５ｍｍとした場合は、ケーブル通路６８の隙間ａ２は約６ｍｍで、ケーブル挿入口６９の隙間ａ３は約５．８〜６ｍｍとなる。
【００３０】
また、図５（ａ）と図６に示すようにドレンパン６０のテーパ面６０２の下端６０１ａとフランジ２４４の端部２４４ａは水平もしくはフランジ２４４の端部２４４ａをテーパ面６０２の下端６０１ａより上方に位置させる。そしてケーブル挿入口６９は必ずフランジ２４４の端部２４４ａとテーパ面６０２の間に形成されるようにする。
【００３１】
また、ドレンパン６０は、図３と図４に示すように筐体１０の側板１１との間と、ドレンパン６０の底面６０３にケーブル溝６３を備える。ケーブル溝６３は電装品箱１８が配置されていない角部２７、２８、２９の角隅２７ａ、２８ａ、２９ａからケーブル通路６８までの間に形成された溝であり、ケーブル溝６３の出口６３ａはテーパ面６０２に設けられる。
【００３２】
またベルマウス２４のフランジ２４４は必ずしもケーブル収納壁２４３の全周に設けるのではなく、例えば図４に示すように角部２８のケーブル溝６３から角部２９のケーブル溝６３ａの上を通り電装品箱１８のケーブル引込口１８５の間に設けてもよい。これにより角部２８、２９から引き出されたケーブル６９を電装品箱１８に繋ぐことができる。
【００３３】
以上の構成により、例えば電装部品のフロートスイッチ６６から引き出されたケーブル６７を電装品箱１８の制御基板１８４に接続する作業は、まずケーブル６７をドレンパン６０の筐体１０内部側からドレンパン６０と筐体の１０の側板１１の間のケーブル溝６３を通しドレンパン６０の底面６０３側に引き出す。引き出されたケーブル６７はドレンパン６０の底面６０３のケーブル溝６３に沿わせて、ドレンパン６０のテーパ面６０２とベルマウス２４のケーブル収納壁２４３の間にあるケーブル挿入口６９からケーブル通路６８に指でケーブル６７を入れ込む。入れ込んだケーブル６７はケーブル通路６８に収納される。ケーブル通路６８に収納されたケーブル６７をベルマウス２４の収納壁２４３に沿って這わせたのちに蓋１８２が外された状態の電装品箱１８のケーブル引込口１８５から電装品箱１８に挿入させ制御基板１８４のコネクタ１８４ａに接続させる。
そして、その他の電装部品（例えばドレンポンプ６５）との接続が完了した時に電装品箱１８の蓋１８２を閉じる。
【００３４】
一連の作業では、従来例のようにベルマウス２４を開く作業が必要ないため両手でケーブル通路６８にケーブル６７を入れ込むことが可能であり、一旦入れ込んだケーブル６７は抜けにくくなることから作業性が向上する。また、ケーブル通路６８を形成する部品（ベルマウス２４、ドレンパン６０）を弾性変形させる必要がないため、部品の強度が確保できる。
【符号の説明】
【００３５】
１：天井埋込型空気調和機（空気調和機）、１０：筐体、１６：吸込口、１８：電装品箱、１８２：蓋、１８４：制御基板、１８５：ケーブル引込口
２３：送風ファン、２４：ベルマウス、２４３：ケーブル収納壁、２４４：フランジ、２５：熱交換器
３：化粧パネル、３１：吹出口、４：吸込グリル、４０１：吸込孔、５：風向板
６０：ドレンパン、６０２：テーパ面、６３：ケーブル溝、６５：ドレンポンプ、６６：フロートスイッチ、６７：ケーブル、６８：ケーブル通路、６９：ケーブル挿入口
ａ１：（ケーブル）直径、ａ２：隙間、ａ３：隙間、Ｋ：空調室内、Ｔ１：天井面
【図１】
0006299552.tif 000002
【図２】
0006299552.tif 000003
【図３】
0006299552.tif 000004
【図４】
0006299552.tif 000005
【図５】
0006299552.tif 000006
【図６】
0006299552.tif 000007